(57)【要約】【課題】パチンコ機の本体枠に機構板を開閉可能に取り付けるための部品点数を削減して、組立性向上及び低コスト化できるようにする。【解決手段】機構板１３は、樹脂により本体枠１２の上部裏面に沿って左右方向に延びる部分１３ａと本体枠１２の左側部裏面に沿って上下方向に延びる部分１３ｂとからなる略逆Ｌ字形状に形成し、この機構板１３に、球タンク１４、タンクレール１５、球供給路１６、球払出装置１７等の裏部品を取り付ける。そして、本体枠１２の側部に設けられた施錠装置２０の上下２箇所の金具に、それぞれヒンジ金具２１を一体に形成すると共に、機構板１３の上下方向に延びる部分１３ｂの上下２箇所に、それぞれヒンジ軸２２を一体に形成し、機構板１３のヒンジ軸２２を本体枠１２のヒンジ金具２１のヒンジ孔に嵌合することで、機構板１３を本体枠１２に開閉可能に取り付ける。【選択図】  図１
2004275632.tif 000002
【特許請求の範囲】
【請求項１】
球タンク等の裏部品が設けられた機構板を遊技機の本体枠にヒンジ機構を介して開閉可能に取り付けた遊技機であって、
前記本体枠の側部に設けられた施錠装置に、前記ヒンジ機構を構成するヒンジ部が設けられていることを特徴とする遊技機。
【請求項２】
前記機構板は、樹脂により前記本体枠の上部裏面で左右方向に延びる部分と前記本体枠の側部裏面で上下方向に延びる部分とからなる略逆Ｌ字形状に形成され、該上下方向に延びる部分に前記ヒンジ部と嵌合するヒンジ部材が設けられていることを特徴とする請求項１に記載の遊技機。
【請求項３】
前記本体枠には、前記機構板が閉じられたときに該機構板の荷重を前記球タンクの下方近傍で受け支える受け棚部が設けられていることを特徴とする請求項１又は２に記載の遊技機。
【請求項４】
前記施錠装置には、前記機構板が閉じられたときに該機構板の一部と係合する係合部又は嵌合する嵌合部が設けられていることを特徴とする請求項１乃至３のいずれかに記載の遊技機。
【請求項５】
前記球タンクを導電性材料で形成すると共に、前記施錠装置の金具をグランド側に電気的に接続し、前記機構板が閉じられたときに前記球タンクが前記施錠装置の金具又は該金具に電気的に接続された導電部材に接触してアース接続されるように構成したことを特徴とする請求項１乃至４のいずれかに記載の遊技機。
【請求項６】
前記機構板を導電性樹脂で形成すると共に、前記施錠装置の金具をグランド側に電気的に接続したことを特徴とする請求項１乃至５のいずれかに記載の遊技機。
【発明の詳細な説明】
【０００１】
【発明の属する技術分野】
本発明は、球タンク等の裏部品が設けられた機構板を遊技機の本体枠にヒンジ機構を介して開閉可能に取り付けた遊技機に関するものである。
【０００２】
【従来の技術】
従来、パチンコ機等の遊技機の裏面側に、球タンク、球払出装置等の裏部品を組み付けた機構板を開閉可能に取り付ける場合には、例えば、特許文献１（特開平８−１４１１８０号公報）に記載されているように、機構板（裏部品パック）の上下２箇所にヒンジ軸を取り付けると共に、遊技機の本体枠の上下２箇所にヒンジ孔を有するヒンジ金具を取り付け、機構板側のヒンジ軸を本体枠側のヒンジ金具のヒンジ孔に嵌合することで、機構板を本体枠に開閉可能に取り付けるようにしたものがある。
【０００３】
【特許文献１】
特開平８−１４１１８０号公報（第３頁等）
【０００４】
【発明が解決しようとする課題】
しかし、上述した従来の機構板の取付構造では、機構板を開閉可能に取り付けるための専用のヒンジ金具を本体枠に取り付ける必要があるため、機構板を取り付けるための部品点数が比較的多く、組立作業に手間が掛かり、製造コストが高くつくという欠点があった。
【０００５】
本発明はこのような事情を考慮してなされたものであり、従ってその目的は、機構板を取り付けるための部品点数を削減することができ、組立性向上、低コスト化の要求を満たすことができる遊技機を提供することにある。
【０００６】
【課題を解決するための手段】
一般に、遊技機の本体枠の側部には、外枠に対して開閉可能な本体枠や、本体枠に対して開閉可能なガラス扉を閉鎖状態で施錠するための施錠装置が設けられている。この点に着目して、本発明の請求項１は、球タンク等の裏部品が設けられた機構板を遊技機の本体枠にヒンジ機構を介して開閉可能に取り付けた遊技機であって、本体枠の側部に設けられた施錠装置に、ヒンジ機構を構成するヒンジ部を設けるようにしたものである。
【０００７】
このようにすれば、施錠装置にヒンジ部を一体的に形成することが可能になるため、機構板を開閉可能に取り付けるための専用のヒンジ金具を本体枠に別途設ける必要がなくなり、機構板を取り付けるための部品点数を少なくすることができ、組立性向上、低コスト化を実現することができる。しかも、施錠装置は、防犯性を確保するために比較的頑丈に形成されているため、この施錠装置にヒンジ部を設ければ、機構板の荷重を十分な強度で支持することができる。
【０００８】
この場合、請求項２のように、機構板は、本体枠の上部裏面で左右方向に延びる部分と本体枠の側部裏面で上下方向に延びる部分とからなる略逆Ｌ字形状に形成し、該上下方向に延びる部分にヒンジ部と嵌合するヒンジ部材を設けるようにしても良い。このようにすれば、機構板にヒンジ部材を樹脂で一体的に形成することが可能となり、機構板を取り付けるための部品点数を更に削減することができる。しかも、機構板を略逆Ｌ字形状に形成してその上下方向に延びる部分にヒンジ部材を形成するようにしたので、機構板の重心をヒンジ部材に近付けることができて、ヒンジ部材に掛かる曲げモーメントを小さくすることができ、ヒンジ部材を樹脂化してもヒンジ部材の変形・破損を防止することができると共に、機構板本体の撓み変形も少なくすることができる。
【０００９】
一般に、球タンクは機構板の上部に配置されるが、球タンク内に多量のパチンコ球が貯溜されると、機構板の上部の球タンクがかなり重くなるため、請求項３のように、本体枠には、機構板が閉じられたときに該機構板の荷重を球タンクの下方近傍で受け支える受け棚部を設けるようにしても良い。このようにすれば、機構板の上部の球タンクの重量を本体枠の受け棚部で受け支えることができるので、機構板に掛かる荷重を軽減することができ、球タンクの重量による機構板の撓み変形を少なくすることができると共に、ヒンジ部材に掛かる荷重も軽減することができ、ヒンジ部材の変形・破損を防止することができる。
【００１０】
また、請求項４のように、施錠装置には、機構板が閉じられたときに該機構板の一部と係合する係合部又は嵌合する嵌合部を設けるようにしても良い。このようにすれば、機構板が閉鎖状態に保持されているときに、機構板が開方向に引っ張られたとしても、係合部又は嵌合部によって機構板の動きを規制することができ、機構板が開方向に撓み変形することを防止することができる。
【００１１】
また、請求項５のように、球タンクを導電性材料で形成すると共に、施錠装置の金具をグランド側に電気的に接続し、機構板が閉じられたときに球タンクが施錠装置の金具又は該金具に電気的に接続された導電部材に接触してアース接続されるようにしても良い。このようにすれば、機構板を閉じるだけで球タンクを施錠装置の金具を介してアース接続することができ、球タンクにアース用リード線等をねじ止めや半田付け等で電気的に接続する作業を省略することができる。
【００１２】
更に、請求項６のように、機構板を導電性樹脂で形成すると共に、施錠装置の金具をグランド側に電気的に接続するようにしても良い。このようにすれば、施錠装置のヒンジ部に機構板のヒンジ部材を嵌合することで、機構板を施錠装置の金具を介してアース接続することができる。
【００１３】
【発明の実施の形態】
以下、本発明をパチンコ機に適用した実施形態を図面に基づいて説明する。まず、図２に基づいてパチンコ機の裏面側の概略構成を説明する。パチンコ機１１（遊技機）の本体枠１２の裏面側には、裏部品を組み付ける機構板１３が取り付けられている。この機構板１３は、樹脂により本体枠１２の上部裏面に沿って左右方向に延びる部分１３ａと本体枠１２の左側部裏面に沿って上下方向に延びる部分１３ｂとからなる略逆Ｌ字形状に形成されている。
【００１４】
機構板１３の左右方向に延びる部分１３ａには、パチンコ島の球補給通路（図示せず）からパチンコ球が補給される球タンク１４と、この球タンク１４から流れ出るパチンコ球を整列状態で流下させるタンクレール１５とが設けられている。また、機構板１３の上下方向に延びる部分１３ｂには、タンクレール１５から流れ出るパチンコ球を流下させる球供給路１６と、この球供給路１６から供給されるパチンコ球を賞球（又は貸球）として払い出す球払出装置１７と、この球払出装置１７から払い出されるパチンコ球をパチンコ機１１の前面側に配置された球皿（図示せず）へ流下させる球流下路１８とが設けられている。
この場合、メイン制御基板、払出制御基板等の制御基板（図示せず）は本体枠１２側に取り付けることで、機構板１３が軽量化されている。
【００１５】
次に、機構板１３の取付構造について説明する。図１及び図２に示すように、本体枠１２の左側部（パチンコ機１１の前面から見て右側部）には、施錠装置２０が上下方向に延びるように設けられている。この施錠装置２０は、外枠１９に対して開閉可能な本体枠１２や、本体枠１２に対して開閉可能なガラス扉（図示せず）を閉鎖状態で施錠するためのものである。
【００１６】
図３及び図４に示すように、施錠装置２０の上下２箇所の金具には、それぞれヒンジ金具２１（ヒンジ部）が一体に形成され、各ヒンジ金具２１に、ヒンジ孔２１ａが形成されている。一方、機構板１３の上下方向に延びる部分１３ｂの上下２箇所には、それぞれヒンジ軸２２（ヒンジ部材）が一体に形成されている。そして、機構板１３のヒンジ軸２２を、本体枠１２のヒンジ金具２１のヒンジ孔２１ａに嵌合することで、機構板１３が本体枠１２に開閉可能に取り付けられている。これら本体枠１２のヒンジ金具２１及び機構板１３のヒンジ軸２２によってヒンジ機構が構成されている。
【００１７】
また、図１及び図２に示すように、機構板１３の左右方向に延びる部分１３ａの右端部と、上下方向に延びる部分１３ｂの下端部には、それぞれ係合孔２３が設けられ、本体枠１２の裏面には、機構板１３の各係合孔２３に対応した位置にそれぞれロックレバー２４が回動可能に設けられている。機構板１３を閉じて（つまり本体枠１２側に回動して）、機構板１３の各係合孔２３に、本体枠１２のロックレバー２４を挿通し、その状態でロックレバー２４をロック方向に回動すると、図５に示すように、機構板１３の各係合孔２３がロックレバー２４により抜け止め保持されて、機構板１３が閉鎖状態に保持されるようなっている。
【００１８】
また、図６に示すように、機構板１３の上下方向に延びる部分１３ｂのうち２つのヒンジ軸２２の中間位置には、突片部２５が前方（パチンコ機１１の裏面から前面に向かう方向）に延びるように一体に形成され、施錠装置２０の金具には、機構板１３が閉じられたときに機構板１３の突片部２５と係合する係合部２６が一体に形成されている。
【００１９】
一方、図７に示すように、球タンク１４は、前面側（パチンコ機１１の前面側となる側）の上端部に係止部２７が設けられ、この係止部２７を機構板１３の被係止部２８に係止することで、球タンク１４が機構板１３に取り付けられている。また、タンクレール１５は、前面部に係止片２９が設けられると共に、後面部に係合爪３０が設けられ、係止片２９を球タンク１４の支持部３１に係止した状態で、係合爪３０を球タンク１４の被係合部３２に弾性係合させることで、タンクレール１５が球タンク１４に取り付けられている。
【００２０】
また、図８に示すように、機構板１３の所定箇所には、タンク保持溝３３とタンク係合爪３４が設けられ、球タンク１４を機構板１３に取り付けたときに、球タンク１４の前面側の下端部が機構板１３のタンク保持溝３３に嵌まり込むと共に、機構板１３のタンク係合爪３４が球タンク１４の被係合部３５に弾性係合することで、球タンク１４を機構板１３に取り付けた状態が保持されるようになっている。
【００２１】
更に、図７及び図８に示すように、本体枠１２には、機構板１３が閉じられたときに該機構板１３の荷重を球タンク１４の下方近傍で受け支える受け棚部３６が設けられている。これにより、パチンコ球が貯溜される球タンク１４の重量を本体枠１２の受け棚部３６で受け支えることができる。また、機構板１３の上端部にはストッパ部が３７が設けられていると共に、本体枠１２の上部にはストッパ部３７が嵌まり込む凹部３８が設けられ、これらストッパ部３７と凹部３８によって機構板１３の上部が後方へ撓むことを防止するようになっている。
【００２２】
また、本実施形態では、球タンク１４が導電性材料（例えば導電性樹脂、金属等）で形成されていると共に、施錠装置２０の金具がグランド側の導電部材（図示せず）に電気的に接続されている。そして、図９に示すように、施錠装置２０の金具の後面には、弾性変形可能な導電性板材で形成された板ばね状のアース用板金３９がねじ等により取り付けられて、施錠装置２０の金具とアース用板金３９とが電気的に接続されている。
【００２３】
機構板１３が閉じられたときにアース用板金３９が球タンク１４の前面に当たって、アース用板金３９が弾性変形することで、アース用板金３９が球タンク１４の前面に適度な弾性力で圧接して、アース用板金３９と球タンク１４とが電気的に接続される。これにより、球タンク１４が、アース用板金３９、施錠装置２０の金具を介してアース接続される。
【００２４】
以上説明した本実施形態のパチンコ機１１では、本体枠１２に設けられた施錠装置２０の金具に、機構板１３を開閉可能に取り付けるためのヒンジ金具２１を一体に形成するようにしたので、機構板１３を開閉可能に取り付けるための専用のヒンジ金具を本体枠１２に別途設ける必要がなくなり、機構板１３を取り付けるための部品点数を削減することができ、組立性向上、低コスト化の要求を満たすことができる。しかも、施錠装置２０の金具は、防犯性を確保するために比較的頑丈に形成されているため、施錠装置２０の金具の一部をヒンジ金具２１に利用すれば、機構板１３の荷重を十分な強度で支持することができる。
【００２５】
また、本実施形態では、機構板１３を略逆Ｌ字形状に形成してその上下方向に延びる部分１３ｂにヒンジ軸２２を一体に形成するようにしたので、機構板１３を取り付けるための部品点数を更に削減することができて、組立性向上及び低コスト化の効果を高めることができる。しかも、機構板１３の重心をヒンジ軸２２に近付けることができて、ヒンジ軸２２に掛かる曲げモーメントを小さくすることができ、ヒンジ軸２２を樹脂化してもヒンジ軸２２の変形・破損を防止することができると共に、機構板１３本体の撓み変形も少なくすることができる。
【００２６】
球タンク１４内に多量のパチンコ球が貯溜されると、機構板１３の上部の球タンク１４がかなり重くなるが、本実施形態では、機構板１３の上部の球タンク１４の重量を本体枠１２の受け棚部３６で受け支えるようにしたので、機構板１３に掛かる荷重を軽減することができ、球タンク１４の重量による機構板１３の撓み変形を少なくすることができると共に、機構板１３のヒンジ軸２２に掛かる荷重も軽減することができ、ヒンジ軸２２の変形・破損を防止することができる。
【００２７】
また、本実施形態では、施錠装置２０の金具に、機構板１３が閉じられたときに該機構板１３の突片部２５と係合する係合部２６を設けるようにしたので、機構板１３が閉鎖状態に保持されているときに、機構板１３が開方向に引っ張られたとしても、係合部２６によって機構板１３の動きを規制することができ、機構板１３が開方向に撓み変形することを防止することができる。尚、機構板１３の突片部２５と嵌合する嵌合部を設けるようにしても良い。
【００２８】
また、本実施形態では、球タンク１４を導電性樹脂で形成し、機構板１３が閉じられたときに球タンク１４がアース用板金３９に接触して、球タンク１４がアース用板金３９、施錠装置２０の金具を介してアース接続されるようにしたので、機構板１３を閉じるだけで球タンク１４をアース接続することができ、球タンク１４にアース用リード線等をねじ止めや半田付け等で電気的に接続する作業を省略することができる。
【００２９】
尚、機構板１３が閉じられたときに球タンク１４が直接、施錠装置２０の金具に接触するようにしても良い。また、機構板１３を導電性樹脂で形成して、施錠装置２０のヒンジ金具２１に機構板１３のヒンジ軸２２を嵌合することで、機構板１３を施錠装置２０の金具を介してアース接続するようにしても良い。
【００３０】
また、機構板１３、タンクレール１５、球供給路１６、球払出装置１７の樹脂部分、球流下路１８等の裏部品を導電性樹脂で形成して、機構板１３が閉じられたときに裏部品が施錠装置２０の金具又は該金具に電気的に接続されたアース用板金３９に接触してアース接続されるようにしても良い。
【００３１】
また、上記実施形態では、機構板１３にヒンジ軸２２を樹脂で一体に形成するようにしたが、金属等で形成したヒンジ軸を機構板１３に取り付けるようにしても良い。
【００３２】
また、上記実施形態では、施錠装置２０の金具にヒンジ金具２１を一体に形成するようにしたが、施錠装置２０の金具とヒンジ金具とをねじ止め、かしめ、溶接等によって一体化するようにしても良い。
【００３３】
また、上記実施形態では、機構板１３にヒンジ軸２２を設け、施錠装置２０の金具にヒンジ孔２１ａを設けるようにしたが、これとは反対に、機構板１３にヒンジ孔を設け、施錠装置２０の金具にヒンジ軸を設けるようにしても良い。更に、ヒンジ機構は、リンク機構を用いても良い等、適宜変更しても良い。
【００３４】
また、上記実施形態では、機構板１３を略逆Ｌ字形状に形成したが、これに限定されず、例えば、機構板１３を略コ字形状や略ロ字形状に形成しても良い等、機構板１３の形状は適宜変更しても良い。
【００３５】
その他、本発明の適用範囲は一般のパチンコ機に限定されず、アレンジ式パチンコ機やパチンコ球を使用してスロットゲームを行う遊技機等、種々の遊技機に本発明を適用しても良い。
【００３６】
【発明の効果】
以上の説明から明らかなように、本発明の請求項１の遊技機によれば、本体枠に設けられた施錠装置に、機構板を開閉可能に取り付けるためのヒンジ部を一体的に設けることが可能であるので、機構板を取り付けるための部品点数を削減することができ、組立性向上、低コスト化の要求を満たすことができると共に、施錠装置の比較的頑丈な金具によって機構板の荷重を十分な強度で支持することができる。
【００３７】
更に、請求項２では、機構板を樹脂により略逆Ｌ字形状に形成してその上下方向に延びる部分にヒンジ部材を一体的に設けることが可能であるので、部品点数を更に削減して、組立性、コスト性を更に向上することができると共に、ヒンジ部材に掛かる曲げモーメントを小さくすることができ、樹脂化したヒンジ部材や機構板の変形・破損を防止することができる。
【００３８】
また、請求項３では、本体枠に、機構板の荷重を球タンクの下方近傍で受け支える受け棚部を設けるようにしたので、球タンクの重量による機構板やヒンジ部材の変形・破損を防止することができる。
【００３９】
また、請求項４では、施錠装置に、機構板の一部と係合する係合部又は嵌合する嵌合部を設けるようにしたので、機構板が開方向に引っ張られたとしても、係合部又は嵌合部によって機構板が開方向に撓み変形することを防止することができる。
【００４０】
また、請求項５では、球タンクを導電性材料で形成し、機構板が閉じられたときに球タンクが施錠装置の金具又は該金具に電気的に接続された導電部材に接触してアース接続されるようにしたので、球タンクにアース用リード線等をねじ止めや半田付け等で電気的に接続する作業を省略することができ、組立性を更に向上させることができる。
【００４１】
更に、請求項６では、機構板を導電性樹脂で形成すると共に、施錠装置の金具をグランド側に電気的に接続するようにしたので、施錠装置のヒンジ部に機構板のヒンジ部材を嵌合することで、機構板を施錠装置の金具を介してアース接続することができる。
【図面の簡単な説明】
【図１】本発明の一実施形態におけるパチンコ機上部の裏面図
【図２】パチンコ機の裏面図
【図３】上部側のヒンジ機構の横断面図
【図４】上部側のヒンジ機構の横断面図
【図５】機構板のロック機構の横断面図
【図６】機構板の係合機構の横断面図
【図７】図１のＡ−Ａ断面図
【図８】図１のＢ−Ｂ断面図
【図９】球タンクのアース構造を示す横断面図
【符号の説明】
１１…パチンコ機（遊技機）、１２…本体枠、１３…機構板、１４…球タンク、１５…タンクレール、１６…球供給路、１７…球払出装置、１８…球流下路、２０…施錠装置、２１…ヒンジ金具（ヒンジ部）、２２…ヒンジ軸（ヒンジ部材）、２５…突片部、２６…係合部、３６…受け棚部、３９…アース用板金。
【図１】
2004275632.tif 000003
【図２】
2004275632.tif 000004
【図３】
2004275632.tif 000005
【図４】
2004275632.tif 000006
【図５】
2004275632.tif 000007
【図６】
2004275632.tif 000008
【図７】
2004275632.tif 000009
【図８】
2004275632.tif 000010
【図９】
2004275632.tif 000011